(57)【特許請求の範囲】
【請求項１】
デジタル放送におけるデータ放送のデータチャンネルに多重されている映像オブジェクトの情報を制御するテレビジョン装置であって、
デジタル放送の映像音声チャンネルに多重されている映像音声データとデータチャンネルに多重されている映像オブジェクトの映像データとを、前記映像音声データと前記映像オブジェクトの映像データとから取り出したそれぞれの時間情報の比較結果に応じて遅延時間調整を行って、同期させる同期手段と、
前記同期された映像音声データに基づく第１画面に、映像オブジェクトの映像データに基づき一の映像オブジェクトが選択された場合以外は透明である第２画面を重ね合わせて合成画面として表示する表示処理手段と、
前記映像オブジェクトが視聴者により選択されると、前記データチャンネルに多重されている前記選択された映像オブジェクトのメタデータに記述されている制御内容に応じた制御を行う制御処理手段とを有し、
前記制御処理手段は、前記選択された映像オブジェクトと、前記選択された映像オブジェクト以外とを前記第２画面上で視覚的に区別するため、前記選択された映像オブジェクトの輝度値を変更するように表示する選択処理手段と、
前記選択された映像オブジェクトの情報に応じた１以上の制御命令を表示する制御命令表示処理手段と、
前記表示された１以上の制御命令から制御命令が視聴者により選択され、前記選択された制御命令に応じた制御を実行する制御実行手段と
を有することを特徴とするテレビジョン装置。
【発明の詳細な説明】
【０００１】
【発明の属する技術分野】
本発明は、テレビジョン装置に係り、特に、デジタル放送におけるデータ放送サービスを利用するテレビジョン装置に関する。
【０００２】
【従来の技術】
近年、テレビジョン放送の放送方式はアナログ方式からデジタル方式に移行しつつある。デジタル方式のテレビジョン放送（以下、デジタル放送という）は、通常の映像・音声の放送サービスに加えてデータ放送サービスを提供し得る。デジタル放送で想定されるデータ放送サービスとしては、映像・音声の他，静止画・文字等の映像オブジェクトを空間軸・時間軸上に配置するマルチメディアサービスがある。
【０００３】
【発明が解決しようとする課題】
しかしながら、従来のテレビジョン装置はデータ放送サービス用のチャンネル（以下、データチャンネルという）に多重されている映像オブジェクトを表示する為の表示機能を有していない。したがって、映像オブジェクトに基づいた制御を行うことができず、映像オブジェクトによる多様なサービスを提供することができないという問題があった。
【０００４】
本発明は、上記の点に鑑みなされたもので、データチャンネルに多重されている映像オブジェクトの情報を制御することができ、その映像オブジェクトの情報を用いたサービスを提供することが可能なテレビジョン装置を提供することを目的とする。
【０００５】
【課題を解決するための手段】
そこで、上記課題を解決するため、本発明は、デジタル放送におけるデータ放送のデータチャンネルに多重されている映像オブジェクトの情報を制御するテレビジョン装置であって、デジタル放送の映像音声チャンネルに多重されている映像音声データとデータチャンネルに多重されている映像オブジェクトの映像データとを、前記映像音声データと前記映像オブジェクトの映像データとから取り出したそれぞれの時間情報の比較結果に応じて遅延時間調整を行って、同期させる同期手段と、前記同期された映像音声データに基づく第１画面に、映像オブジェクトの映像データに基づき一の映像オブジェクトが選択された場合以外は透明である第２画面を重ね合わせて合成画面として表示する表示処理手段と、前記映像オブジェクトが視聴者により選択されると、前記データチャンネルに多重されている前記選択された映像オブジェクトのメタデータに記述されている制御内容に応じた制御を行う制御処理手段とを有し、前記制御処理手段は、前記選択された映像オブジェクトと、前記選択された映像オブジェクト以外とを前記第２画面上で視覚的に区別するため、前記選択された映像オブジェクトの輝度値を変更するように表示する選択処理手段と、前記選択された映像オブジェクトの情報に応じた１以上の制御命令を表示する制御命令表示処理手段と、前記表示された１以上の制御命令から制御命令が視聴者により選択され、前記選択された制御命令に応じた制御を実行する制御実行手段とを有することを特徴とする。
【０００６】
このように、データチャンネルに多重されている映像オブジェクトの映像データと映像音声チャンネルに多重されている映像音声データとを同期させて表示することで映像オブジェクトを画面上で選択させることができ、選択された映像オブジェクトの情報に応じた制御を行うことが可能である。
【０００８】
このように、選択された映像オブジェクトと選択されていない映像オブジェクトとを区別して表示することで、視聴者は選択した映像オブジェクトを容易に確認することができる。また、視聴者は選択した映像オブジェクトに関連する制御命令を選択し実行することができるので、データ放送，インターネット等と連携した新しい放送サービスを実現することが可能である。
【０００９】
【発明の実施の形態】
次に、本発明の実施の形態について図面に基づいて説明する。まず、本発明の理解を容易とする為に、本発明の情報ナビゲーション方法の原理について簡単に説明する。
【００１０】
図１は、本発明の情報ナビゲーション方法の一例の原理図を示す。図１の情報ナビゲーション方法では、放送映像を表示する映像画面１とデータチャンネルに多重されている映像オブジェクト３を表示するオブジェクト画面としてのオーバーレイ画面２とを利用している。映像画面１は、映像オブジェクト３の相当部分４に映像オブジェクト３の例えばカラー映像を表示する。オーバーレイ画面２は、データチャンネルに多重されているオブジェクト形状情報に応じて映像オブジェクト３が表示される。
【００１１】
なお、放送映像とオブジェクト形状情報とは、空間的・時間的に同期しているものとする。オーバーレイ画面２は、いわゆるアルファプレーンとして映像画面１に重ね合わされて表示される。しかし、オーバーレイ画面２は通常の状態であれば、映像画面１に何ら影響を及ぼすことがないように処理されている。したがって、視聴者は従来通りに放送映像を視聴することができる。視聴者は、図２のフローチャートに示すように、映像オブジェクト３を選択，制御することが可能である。
【００１２】
図２は、映像オブジェクトを選択・制御する手順の一例のフローチャートを示す。図２中、ステップＳ１では、視聴者は例えばリモートコントロール装置（以下、リモコンという）で所望の映像オブジェクト３を選択する。ステップＳ１に続いてステップＳ２に進み、視聴者が選択した映像オブジェクト３に対して選択表示処理が行われる。選択表示処理は、視聴者が選択した映像オブジェクト３をハイライト或いは反転表示等により、選択されていない映像オブジェクトと区別する為の処理である。
【００１３】
ステップＳ２に続いてステップＳ３に進み、視聴者はリモコンで制御コマンド実行指示を行う。制御コマンドの種類として、例えば選択した映像オブジェクト３の詳細説明画面表示，データ放送画面表示，インターネットへのアクセス，電話機能などがある。
【００１４】
ステップＳ３に続いてステップＳ４に進み、視聴者が行った制御コマンド実行指示に応じて制御コマンドが実行される。例えば選択した映像オブジェクト３の詳細説明画面表示の制御コマンドが実行されると、選択された映像オブジェクト３の詳細説明画面表示が行われる。
【００１５】
以下、図１，図２を参照しつつ説明した機能を備えるテレビジョン装置の構成について説明していく。図３は、本発明の情報ナビゲーション方法を利用するテレビジョン装置の一実施例の構成図を示す。なお、図３の構成図は、説明に必要な構成部分を示したものである。
【００１６】
図３のテレビジョン装置は、分離器１１と，ＭＰＥＧ（Moving Picture coding Experts Group）デコーダ１２と，比較器１３と，データストリームアナライザ１４と，バッファメモリ１５，１６と，静的メモリ１７と，合成器１８と，切換器１９とを有するように構成される。
【００１７】
分離器１１には、映像音声データ，データ放送用データが多重されているトランスポートストリーム（Transport Stream）が供給される。なお、受信信号がＱＡＭ（Quadrature Amplitude Modulation），ＶＳＢ（Vestigial SideBand），ＯＦＤＭ（Orthogonal Frequency Division Multiplex）等のデジタル変調方式で変調されている場合、トランスポートストリームは分離器１１に供給される前に復調される。
【００１８】
分離器１１は供給されたトランスポートストリームをＭＰＥＧ−ＡＶストリームとデータチャンネルに多重されたデータストリームとに分離し、そのＭＰＥＧ−ＡＶストリームをＭＰＥＧデコーダ１２に供給する一方、データストリームをデータストリームアナライザ１４に供給する。
【００１９】
ＭＰＥＧデコーダ１２は、供給されたＭＰＥＧ−ＡＶストリームを映像信号と音声信号とにデコードし、その映像信号と音声信号とを遅延時間調整用のバッファメモリ１５に供給する。なお、ＭＰＥＧデコーダ１２はＭＰＥＧ−ＡＶストリームから時間情報ｔｍを取り出し、その時間情報ｔｍを比較器１３に供給している。
【００２０】
データストリームアナライザ１４は供給されたデータストリームを解析し、例えばフレーム周期のように短い周期で変化する動的なデータと、数分毎に更新されるというように長い周期で変化する静的なデータとに分離する。動的なデータはオーバーレイ画面の映像オブジェクトを表す信号であり、例えば映像オブジェクト毎にＩＤ番号で表現されたラベル画像などである。
【００２１】
静的なデータは、ラベル画像内のＩＤ番号とそのＩＤ番号で表現される映像オブジェクトに関連するメタデータとを関連付けたテーブルデータ及びメタデータなどである。データストリームアナライザ１４は分離した動的なデータを遅延時間調整用のバッファメモリ１６に供給する一方、静的なデータを静的メモリ１７に供給する。なお、データストリームアナライザ１４はデータストリームから時間情報ｔｏを取り出し、その時間情報ｔｏを比較器１３に供給している。
【００２２】
比較器１３は、ＭＰＥＧデコーダ１２から供給された時間情報ｔｍとデータストリームアナライザ１４から供給された時間情報ｔｏとを比較し、その比較結果に応じてバッファメモリ１５，１６で行う遅延時間調整を制御する。バッファメモリ１５，１６で遅延時間調整を行うことにより、バッファメモリ１５から出力される映像画面とバッファメモリ１６から出力されるオーバーレイ画面とが時間的・空間的に同期される。
【００２３】
バッファメモリ１５から出力される映像画面とバッファメモリ１６から出力されるオーバーレイ画面とは、合成器１８に供給される。そして、合成器１８は供給された映像画面とオーバーレイ画面とを合成し、合成した信号を切換器１９に出力する。
【００２４】
一方、静的メモリ１７に供給された静的なデータは長い周期で変化するデータであって、データストリームからの更新要求があるまで格納された状態を維持する。データストリームからの更新要求があると、静的メモリ１７は格納している静的なデータを更新する。そして、静的メモリ１７から出力される例えばメタデータ表示用画面は切換器１９に供給される。
【００２５】
切換器１９は、合成器１８から供給される映像画面とオーバーレイ画面との合成画面又は静的メモリ１７から供給されるメタデータ表示用画面のどちらか一方をモニタ画面に出力する。なお、切換器１９の出力信号切換処理については後述する。
【００２６】
次に、本発明の情報ナビゲーション方法を利用するテレビジョン装置の処理手順について説明する。図４は、本発明のテレビジョン装置の処理手順について説明する一例のフローチャートを示す。
【００２７】
図４中、ステップＳ１１では、本発明のテレビジョン装置は通常処理を行っている。この場合、図３の切換器１９は、合成器１８から供給された映像画面とオーバーレイ画面との合成画面をモニタ画面に出力している。このとき、オーバーレイ画面は透明である。したがって、視聴者はモニタ画面に表示される映像画面とオーバーレイ画面との合成画面を映像画面として認識する。
【００２８】
ステップＳ１１に続いてステップＳ１２に進み、テレビジョン装置は映像オブジェクトがマウス等の指示装置で指示されたか否かを判定する。例えば、視聴者は映像画面中に興味を喚起する映像オブジェクトが存在すると、その映像オブジェクトを指示装置で指示する。
【００２９】
なお、視聴者は例えば図１の映像画面１上で映像オブジェクトを指示しているように認識するが、透明なオーバーレイ画面２上で映像オブジェクトを指示している。これは、映像画面１とオーバーレイ画面２とが同期している為に可能となる。
【００３０】
テレビジョン装置は映像オブジェクトがマウス等の指示装置で指示されたと判定すると（Ｓ１２においてＹＥＳ）、ステップＳ１３に進み、指示された座標位置及びその座標位置のラベル画像の輝度値（ラベル値）を取得する。なお、テレビジョン装置は映像オブジェクトがマウス等の指示装置で指示されていないと判定すると（Ｓ１２においてＮＯ）、ステップＳ１１に進む。
【００３１】
ステップＳ１３に続いてステップＳ１４に進み、テレビジョン装置は映像オブジェクトがマウス等の指示装置で選択されたか否かを判定する。例えば、視聴者はステップＳ１２で指示した映像オブジェクトの詳細説明画面の表示を所望する場合、マウスの右ボタンをクリックすることにより映像オブジェクトの選択を行う。
【００３２】
テレビジョン装置は映像オブジェクトがマウス等の指示装置で選択されたと判定すると（Ｓ１４においてＹＥＳ）、ステップＳ１５に進み、選択された映像オブジェクトの輝度値をオーバーレイ画面上で変更する。また、テレビジョン装置は選択された映像オブジェクトのＩＤ番号に応じて静的メモリ１７に格納されているメタデータと関連付けを行う。なお、テレビジョン装置は映像オブジェクトがマウス等の指示装置で選択されていないと判定すると（Ｓ１４においてＮＯ）、ステップＳ１１に進む。
【００３３】
ステップＳ１５に続いてステップＳ１６に進み、テレビジョン装置はモニタ画面に制御コマンドメニューの表示を行う。そして、ステップＳ１６に続いてステップＳ１７に進み、視聴者は制御コマンドメニューから所望の制御コマンドを選択し、選択した制御コマンドの実行要求をリモコン等で行う。
【００３４】
ステップＳ１７に続いてステップＳ１８に進み、テレビジョン装置は制御コマンド実行要求に応じて制御コマンドを実行する。例えば映像オブジェクトのメタデータ表示要求があった場合、テレビジョン装置は静的メモリ１７からメタデータ表示用画面を読み出し、そのメタデータ表示用画面を切換器１９に供給する。この場合、図３の切換器１９は、静的メモリ１７から供給されたメタデータ表示用画面をモニタ画面に出力する。
【００３５】
次に、オブジェクト画面について説明する。図５は、オブジェクト画面の一例の構成図を示す。オブジェクト画面は、複数の映像オブジェクト＃１〜＃ｎを有することができる。映像オブジェクト＃１〜＃ｎはラベル画像として管理され、そのラベル画像に対して映像オブジェクトの情報が図６に示すようにリンクされている。
【００３６】
図６は、複数の映像オブジェクトの情報について説明する一例の図を示す。図６に示すように、オブジェクト画面に複数の映像オブジェクト＃１〜＃ｎを有する場合、データストリームアナライザ１４はデータチャンネルに多重されている映像オブジェクト＃１〜＃ｎの情報を分離して出力する。
【００３７】
図５のオブジェクト画面から１つの映像オブジェクトを選択する場合、例えばリモコンに設けたオブジェクト表示機能を利用する。オブジェクト表示機能は、選択された映像オブジェクト＃１〜＃ｎの輝度値を変化させることにより、選択された映像オブジェクトと選択されていない映像オブジェクトとを視覚的に区別する。映像オブジェクトの選択後、視聴者は選択した映像オブジェクトに関連付けられているメタデータを検出し、そのメタデータに記述されている制御内容を実行することができる。
【００３８】
図７は、データチャンネルに多重されているデータストリームの一例の構成図を示す。図７のデータストリームは、オブジェクト形状情報と，オブジェクト・メタデータ関連テーブルと，メタデータとが多重されている。なお、図７のデータストリームは、１つの映像オブジェクトに関するものであり、複数の映像オブジェクトが含まれるとき、複数個のオブジェクト形状情報，オブジェクト・メタデータ関連テーブル，メタデータが多重される。
【００３９】
オブジェクト形状情報は、映像オブジェクトの形状，位置などを特定する情報である。このオブジェクト形状情報を利用して、映像オブジェクトのラベル画像が生成される。オブジェクト・メタデータ関連テーブルは、映像オブジェクトのＩＤ番号としてのラベル値と、メタデータとを対応付ける情報である。
【００４０】
また、メタデータは、制御コマンドと詳細情報とを含む。制御コマンドは、映像オブジェクトが選択された後でテレビジョン装置が行える制御を定義した情報である。例えば全画面をデータ放送画面に切り替える制御、部分画面をデータ放送画面に切り替える制御、インターネットへアクセスして即表示する制御、インターネットへアクセスしてページを保存し，保存したページを後で表示する制御、自動電話接続制御などの制御コマンドが考えられる。
【００４１】
詳細情報は、前述の制御に必要な情報やその制御手順の情報である。例えばデータ放送表示用のＢＭＬ（Broadcast Markup Language）コンテンツ情報，インターネットアドレス情報，電話番号などが含まれる。
【００４２】
本発明のテレビジョン装置は、デジタル放送時のデータチャンネルに多重された映像オブジェクトとその映像オブジェクトの情報とを用いた新しいサービスを実現できる。例えば映像オブジェクトに放送内容と連動したデータ放送の内容，インターネットアドレスなどを記述しておくことにより、データ放送，インターネットなどと連携した新しい放送サービスが実現できる。さらに、電話番号を表す文字スーパーを映像オブジェクトとし、テレビジョン装置に電話機能を搭載しておくことにより、映像オブジェクトで示された電話番号に自動的に電話をする機能が実現できる。
【００４３】
また、入力ストリームとして放送ストリームだけでなくファイル形式のものを扱えるようにすることにより、インターネット等のネットワーク上で流通しているデータファイルに対して同じようなサービスを提供することが可能である。この場合、放送ストリーム上の映像ストリームとデータ放送用のデータストリームとをファイル化することで簡単に対応することが可能である。
【００４４】
【発明の効果】
上述の如く、本発明によれば、データチャンネルに多重されている映像オブジェクトの映像データと映像音声チャンネルに多重されている映像音声データとを同期させて表示することで映像オブジェクトを画面上で選択させることができ、選択された映像オブジェクトの情報に応じた制御を行うことが可能である。
【００４５】
また、本発明によれば、選択された映像オブジェクトと選択されていない映像オブジェクトとを区別して表示することで、視聴者は選択した映像オブジェクトを容易に確認することができる。また、視聴者は選択した映像オブジェクトに関連する制御命令を選択し実行することができるので、データ放送，インターネット等と連携した新しい放送サービスを実現することが可能である。
【００４６】
【図面の簡単な説明】
【図１】本発明の情報ナビゲーション方法の一例の原理図である。
【図２】映像オブジェクトを選択・制御する手順の一例のフローチャートである。
【図３】本発明の情報ナビゲーション方法を利用するテレビジョン装置の一実施例の構成図である。
【図４】本発明のテレビジョン装置の処理手順について説明する一例のフローチャートである。
【図５】オブジェクト画面の一例の構成図である。
【図６】複数の映像オブジェクトの情報について説明する一例の図である。
【図７】データチャンネルに多重されているデータストリームの一例の構成図である。
【符号の説明】
１    映像画面
２    オーバーレイ画面
３    映像オブジェクト
１１    分離器
１２    ＭＰＥＧデコーダ
１３    比較器
１４    データストリームアナライザ
１５，１６    バッファメモリ
１７    静的メモリ
１８    合成器
１９    切換器
【図１】
0004195549.tif 000002
【図２】
0004195549.tif 000003
【図３】
0004195549.tif 000004
【図４】
0004195549.tif 000005
【図５】
0004195549.tif 000006
【図６】
0004195549.tif 000007
【図７】
0004195549.tif 000008